(57)【要約】【課題】番組の録画開始後、車両の走行状態に依存することなく録画を継続することで録画内容に連続性を持たせ、停車後の視聴を容易にする。【解決手段】車載用録画装置を、車両の走行状態を検出する車両状態検出部１５と、選局された放送中の番組を受信する放送受信部１１と、放送受信部１１が受信した番組を録画する録画部１２と、車両状態検出部１５により車両が停止状態から走行状態に遷移したことが検出されると、録画部１２を制御して車両走行前に視聴していた番組の録画を開始させ、録画部１２による番組の録画が開始されて以降、車両状態検出部１５により検出される車両の走行状態に依存せず録画中の番組の放送終了を待って録画を停止させる制御部１０とにより構成した。【選択図】図１
2010016550.tif 000002
【特許請求の範囲】
【請求項１】
車両の走行状態を検出する車両状態検出部と、
選局された放送中の番組を受信する放送受信部と、
前記放送受信部が受信した番組を録画する録画部と、
前記車両状態検出部により前記車両が停止状態から走行状態に遷移したことが検出されると、前記録画部を制御して車両走行前に視聴していた番組の録画を開始させ、前記録画部による前記番組の録画が開始されて以降、前記車両状態検出部により検出される前記車両の走行状態に依存せず録画中の前記番組の放送終了を待って録画を停止させる制御部と、
を備えたことを特徴とする車載用録画装置。
【請求項２】
前記制御部は、
前記番組に重畳され送信される電子番組表を取得し、前記電子番組表に示される前記視聴していた番組の終了時刻を監視して前記番組の放送終了を検出することを特徴とする請求項１記載の車載用録画装置。
【請求項３】
前記制御部は、
前記視聴していた番組と次の番組との間に挟まれて放送されるコマーシャルを音声認識、もしくは映像認識により検出して前記番組の放送終了を検出することを特徴とする請求項１記載の車載用録画装置。
【請求項４】
前記録画部による前記視聴していた番組の録画終了後、前記車両状態検出部が前記車両の停止を検出した場合に、前記録画した番組の再生を行なう再生部と、
を備えたことを特徴とする請求項１から請求項３のうちのいずれか１項記載の車載用録画装置。
【発明の詳細な説明】
【技術分野】
【０００１】
この発明は、車両走行中に番組の映像の録画を行い、車両停車中にドライバが走行中見逃した番組の再生を行うシーンに用いて好適な、車載用録画装置に関するものである。
【背景技術】
【０００２】
車両走行中におけるＴＶ等、番組の映像再生は、運転者が注視することにより運転の妨げとなるため、交通安全上、映像再生を抑止し音声再生のみ行なわれる。このため、運転者は、クライマックスシーン等、盛り上がった場面での映像を見逃すことが多い。
【０００３】
上記した課題を解決するため、従来、車両走行中に再生を停止した後に録画を開始し、車両が停止したときに録画した番組を再生する車載用ＴＶ録画再生装置が知られている（例えば、特許文献１参照）。
【０００４】
【特許文献１】特開２００３−３２９４５９号公報
【発明の開示】
【発明が解決しようとする課題】
【０００５】
しかしながら、特許文献１に開示された技術によれば、ドライバは、走行中に見逃したシーンを停車中に視聴することは可能であるが、走行／停車を繰り返した場合、録画内容に連続性がなくなり、したがって、後に、その番組を視聴したときに、番組（ストーリー）の流れを認識することが困難になる可能性がある。
【０００６】
この発明は上記した課題を解決するためになされたものであり、番組の録画開始後、車両の走行状態に依存することなく録画を継続することで録画内容に連続性を持たせ、停車時における視聴を容易にする、車載用録画装置を提供することを目的とする。
【課題を解決するための手段】
【０００７】
上記した課題を解決するために、この発明の車載用録画装置は、車両の走行状態を検出する車両状態検出部と、選局された放送中の番組を受信する放送受信部と、前記放送受信部が受信した番組を録画する録画部と、前記車両状態検出部により前記車両が停止状態から走行状態に遷移したことが検出されると、前記録画部を制御して車両走行前に視聴していた番組の録画を開始させ、前記録画部による前記番組の録画が開始されて以降、前記車両状態検出部により検出される前記車両の走行状態に依存せず録画中の前記番組の放送終了を待って録画を停止させる制御部とを備えたものである。
【発明の効果】
【０００８】
この発明の車載用録画装置によれば、番組の録画開始後、車両の走行状態に依存することなく録画を継続することで録画内容に連続性を持たせることで、ドライバは、停車時の視聴が容易になる。
【発明を実施するための最良の形態】
【０００９】
実施の形態１．
図１は、この発明の実施の形態１に係る車載用録画装置の内部構成を示すブロック図である。
図１に示されるように、この発明の実施の形態１に係る車載用録画再生装置は、制御部１０を制御中枢とし、放送受信部１１と、録画部１２と、再生部１３と、操作部１４と、車両状態検出部１５と、記憶部１６により構成される。
【００１０】
放送受信部１１は、ここではデジタルＴＶチューナを想定しており、アンテナを介して受信された放送波は中間周波数に変換され、デジタル変調後、映像信号と音声信号、およびデータに分離し、内蔵のデジタル信号処理ＬＳＩにより復号後、得られる映像情報と音声情報を再生部１３に出力する。このとき、復号して得られる映像情報と音声情報は、制御部１０による制御の下で録画部１２にも出力される。
録画部１２は、大容量記録媒体として、例えば、ＨＤＤ（Hard Disc Drive）を内蔵し、このＨＤＤに、制御部１０による制御にしたがい、放送受信部１１により受信され出力される映像情報と音声情報を録画情報として記録する。
【００１１】
再生部１３は、制御部１０を介し放送受信部１１、あるいは録画部１２から出力される録画情報（映像情報および音声情報）をアナログ信号に変換し、例えば、ＬＣＤ（Liquid Crystal Device）表示モニタ１３ａ、スピーカ１３ｂのそれぞれに供給する。
なお、再生部１３は、ここでは、録画部１２による、ドライバが走行前に視聴していた番組の録画終了後、後述する車両状態検出部１５が車両の停止を検出した場合に、録画した番組（録画情報）の再生を行なうものであり、制御部１０による制御の下、録画情報の本編再生の他に、必要に応じて、例えば、スポーツ番組における盛り上がり部分を抽出して再生するハイライト再生、音楽番組の場合に、トーク部分をカットして歌っているシーンを抽出して纏めて再生する楽曲クリップ再生、映画やドラマ番組の場合、コマーシャル部分を除外して本編だけを連続して再生するカット再生も行なう。
【００１２】
上記したハイライト再生、楽曲クリップ再生、カット再生は、通常のビデオレコーダの分野において周知の技術であり、市販の同製品に搭載されている技術である。
【００１３】
操作部１４は、ユーザにより操作される、録画ボタン、再生ボタン、選局・音量調整ボタン、電子番組表表示ボタン等の各種ボタン類が実装されたスイッチ群であり、制御部１０が所定の間隔でスキャンすることによりユーザによる操作を検知して取込む。
ここでは、操作部１４は、ドライバが車両走行開始時に録画ボタンを押下することで、走行前に視聴していた番組の録画（車両状態に依存することなく放送終了まで録画を継続する）を手動で行う際のトリガとして用いられる。
【００１４】
車両状態検出部１５は、例えば、車速センサ、ジャイロセンサ等のセンサ類であり、車両の速度、操舵角等の車両状態を検知して制御部１０へ出力する。
制御部１０は、車速センサによりカウントされ出力される車速バルスの有無により、車両が走行中か停止中かを判定し、録画部１２を起動する際の番組録画のトリガとして用いる。
【００１５】
記憶部１６には、制御部１０が実行する各種プログラムが格納されている。制御部１０は、マイクロプロセッサを内蔵し、このマイクロプロセッサによる制御の下、制御部１０は、ユーザが操作部１４を操作することにより指示される内容にしたがい、記憶部１６に格納された該当のプログラムを逐次読み出し実行する。
ここでは、制御部１０は、車両状態検出部１５により車両が停止状態から走行状態に遷移したことが検出されると、録画部１２を制御して車両走行前に視聴していた番組の録画を開始させ、録画部１２による番組の録画が開始されて以降、車両状態検出部１５により検出される車両の走行状態に依存せず録画中の番組の放送終了を待って録画を停止させる制御を行なう。詳細は後述する。
【００１６】
図２は、図１に示した制御部１０が実行するプログラムの構造を機能展開して示したブロック図であり、ここでは、制御部１０の構成につき、録画処理に特化して示している。
図２に示されるように、制御部１０が実行するプログラムは、録画・再生処理部１００を処理中枢とし、車両状態情報取得部１０１と、操作情報取得部１０２と、番組コンテンツ取得部１０３と、電子番組表（ＥＰＧ：Electronic Program Guide）取得部１０４と、番組音声認識部１０５に機能展開され、構成される。
【００１７】
車両状態情報取得部１０１は、車両状態検出部１５から車両の走行状態（走行中／停止中）に関する情報を取得して録画・再生処理部１００へ引き渡す機能を有する。
録画・再生処理部１００は、車両状態検出部１５により車両が停止状態から走行状態に遷移したことが検出されると、録画部１２を制御して車両走行前に視聴していた番組の録画を開始させ、録画部１２による番組の録画が開始されて以降、車両状態検出部１５により検出される車両の走行状態に依存せず録画中の番組の放送終了を待って録画を停止させる。
【００１８】
操作情報取得部１０２は、ユーザが操作部１４を操作することにより取得される、例えば、録画、再生指示に関する情報を引き渡す機能を有する。録画・再生処理部１００は、例えば、録画指示を受け取ることにより、後述する車両状態に依存することなく放送終了まで録画を継続して車両走行時に見逃した番組の録画処理を行い、また、再生指示を受け取ることにより後述する再生処理を行う。
【００１９】
番組コンテンツ取得部１０３は、放送受信部１１が受信した番組からコンテンツそのものを取得し、また、ＥＰＧ取得部１０４は、その番組に重畳され送信される電子番組表を取得してそれぞれ録画・再生処理部１００へ引き渡す機能を有する。
録画・再生処理部１００は、番組に重畳され送信される電子番組表を取得することにより、録画中の番組の放送終了時刻を検出することができる。
【００２０】
電子番組表は、地上アナログ放送と地上デジタル放送、ＢＳ（放送衛星）放送、ＣＳ（通信衛星）放送等、放送形式によってそれぞれ内容が異なるが、ここで取得される電子番組表は、１日に数回送信され、順次受信できるものとし、その中には、視聴中の番組だけでなく、新聞のテレビ欄のような放送局毎の放送予定番組情報も含まれるものとする。
なお、この電子番組表は、操作部１４のＥＰＧ表示ボタンを押下することによりＬＣＤ表示モニタ１３ａへ表示することも可能である。
【００２１】
番組音声認識部１０５は、例えば、番組本編と次の番組本編の間に挟まれ放送されるコマーシャル（民放に限る）を認識して録画・再生処理部１００へ引き渡す機能を有する。
録画・再生処理部１００は、番組と次の番組との間に挟まれたコマーシャル（ＣＭ）を認識して番組の放送終了を検出することができる。例えば、番組自体がモノラルまたは２カ国放送の音声多重で放送され、ＣＭがステレオ放送されていた場合、番組音声認識部１０５は、音声フォーマットの違いから番組本編とＣＭとの区別が可能である。また、番組本編、ＣＭともにステレオ放送された場合等、音声フォーマットが同じ場合は、映像レベルや音声レベルの変化によりＣＭ部分の判別は可能である。この場合には、番組音声認識部１０５の他に、映像認識部も必要になる。
【００２２】
図３は、この発明の実施の形態１に係る車載用録画再生装置の基本動作を示すフローチャートである。
以下、図３に示すフローチャートを参照しながら、図１、図２に示すこの発明の実施の形態１に係る車載用録画装置の基本動作について詳細に説明する。
【００２３】
車載用録画装置（制御部１０）は、まず、ユーザが操作部１４により選局操作を行なったことをキースキャンによって検知すると、放送受信部１１を制御し、放送受信部１１が受信し、復号出力する番組コンテンツ（映像情報ならびに音声情報）を再生部１３へ供給する。番組コンテンツを受け取った再生部１３は、ＬＣＤ表示モニタ１３ａへその映像を表示し、また、スピーカにより映像に同期した音声出力を行なう（ステップＳＴ３０１）。ここで、走行前のドライバは、番組コンテツの視聴を行なっているものとする。
【００２４】
一方、車両状態検出部１５は、車速パルス他、各種センサ感知信号を生成して制御部１０へ供給しており、制御部１０（録画・再生処理部１００）は、車両状態情報取得部１０１を介して取得される車両状態情報（ここでは車速パルス）を参照することにより車両が走行中か否かを判定する（ステップＳＴ３０２）。
ここで、車両が停車中であると判定された場合（ステップＳＴ３０２“ＮＯ”）、録画・再生処理部１００は、ステップＳＴ３０１の処理に戻って放送受信部１１で受信した番組の再生を継続制御し、一方、車両が停車中から走行中に遷移したと判定された場合（ステップＳＴ３０２“ＹＥＳ”）、録画・再生処理部１００は、ドライバの安全運転のために再生停止処理を実行し（ステップＳＴ３０３）、再生部１３に音声信号のみを供給することで、放送受信部１１で受信される番組の映像をＬＣＤ表示モニタ１３ａに表示することなく、番組音声のみをスピーカ１３ｂから出力する。
【００２５】
録画・再生処理部１００は、上記した再生停止処理（ステップＳＴ３０３）と同時に録画部１２を起動し、録画部１２は、内蔵のＨＤＤに放送受信部１１で受信し、番組コンテンツ取得部１０３により取得される走行前の停車時にドライバが視聴していた番組の録画の開始を行なう（ステップＳＴ３０４）。
上記した番組録画が開始されて以降、録画・再生処理部１００は、録画部１２に対し、車両状態情報取得部１０１により取得され引き渡される車両の状態情報（走行中／停止中）にかかわらず番組録画動作の継続を指示する。
【００２６】
続いて、録画・再生処理部１００は、ＥＰＧ取得部１０４が取得した電子番組表、あるいは、番組音声認識部１０５が音声認識した情報に基づき、番組コンテンツ取得部１０３が取得した番組の本編が継続して放送されているか否かの判定を行い（ステップＳＴ３０５）、例えば、電子番組表が示す放送中番組の終了時刻を監視することにより、あるいはＣＭの放送を検出することにより番組本編の放送が終了したものと判定し（ステップＳＴ３０５“ＹＥＳ”）、本編の放送終了を契機に録画部１２による録画動作の終了を指示する（ステップＳＴ３０６）。
放送中番組の終了時刻に未だ到達していない、あるいは未だＣＭが認識されず番組本編の放送が継続している場合は（ステップＳＴ３０５“ＮＯ”）、録画・再生処理部１００は、ステップＳＴ３０４の録画処理に戻り、録画部１２に録画動作の継続を指示する。
【００２７】
なお、上記の手順にしたがい録画を行うか否かは、ドライバが操作部１４に実装される録画ボタン、あるいはそれに代わる任意のボタンを押下することにより選択が可能である。したがって、ドライバの選択によっては、従来同様録画内容が不連続になることも、あるいは連続性を持たせることも可能である。
【００２８】
ステップＳＴ３０５において番組本編の終了を検知する方法の一例が図４、図５にフローチャートで示されている。前者は電子番組表を、後者は番組本編の間に挟まれ放送されるＣＭを認識することにより番組本編の終了を検出するものである。
以下、図４、図５のフローチャートを参照しながら、図２に示す制御部１０（録画・再生処理部１００）の動作について詳細に説明する。
【００２９】
図４のフローチャートにおいて、まず、制御部１０は、ＥＰＧ取得部１０４が、放送受信部１１が受信した番組の中から電子番組表を取得して録画・再生処理部１００へ引き渡す（ステップＳＴ４０１）。
電子番組表を受け取った録画・再生処理部１００は、その電子番組表に示される録画中の番組の放送終了時刻を参照し、タイマ監視によりその時刻に到達したことを検知して録画番組の放送終了と判定し（ステップＳＴ４０２“ＹＥＳ”）、録画部１２による録画動作を停止させる。放送終了時刻に到達しない場合はタイマ監視を継続する。
【００３０】
一方、図５のフローチャートにおいて、まず、制御部１０は、放送受信部１１が受信した番組のコンテンツを番組コンテンツ取得部１０３が取得し、録画・再生処理部１００、および番組音声認識部１０５へ引き渡す（ステップＳＴ５０１）。
番組コンテンツを受け取った番組音声認識部１０５は、音声フォーマットを認識し、例えば、番組自体がモノラルまたは２カ国放送の音声多重で放送され、ＣＭがステレオ放送されていた場合に、その音声フォーマットの違いから番組本編とＣＭとの区別を行う。録画・再生処理部１００は、番組音声認識部１０５がＣＭを検出したタイミングで録画番組の放送終了を判定し（ステップＳＴ５０２“ＹＥＳ”）、録画部１２を制御して録画部１２による録画動作を停止させる。なお、音声フォーマットが同じ場合は、映像レベルや音声レベルの変化によりＣＭ部分の判別は可能である。
【００３１】
上記した実施の形態１に係る車載用録画装置によれば、制御部１０（録画・再生処理部１００）が、車両状態検出部１５で車両が停止状態から走行状態に遷移したことが検出された場合に、録画部１２を制御して車両走行前に視聴していた番組の録画を開始させ、録画部１２による番組の録画が開始されて以降、車両状態検出部１５により検出される車両の走行状態に依存せず録画中の番組の放送終了を待って録画を停止させることにより、録画内容に連続性を持たせ、走行前に視聴していた番組の続きの視聴が容易になる。このとき、制御部１０（録画・再生処理部１００）は、電子番組表や、本編と本編の間にあるＣＭを検知することで録画中番組の放送終了を検知することができる。
このため、録画内容に連続性を持たせることができ、ユーザ（ドライバ）は、停車時、その録画番組を視聴したときに番組の流れを容易に認識することができる。
【００３２】
なお、上記したこの発明の実施の形態１に係る車載用録画装置によれば、一旦、番組録画が開始されて以降、その番組の放送が終了するまで録画動作を継続するため、その間に停車してエンジンを切ったとしても放送受信部１１および録画部１２への電源供給を継続させ、録画番組の放送が終了した時点でその電源供給を停止する電源バックアップのための対策を講じる必要がある。
また、図３〜図５に示すフローチャートには、録画が終了した後の録画番組の再生動作については開示されていないが、制御部１０が再生部１３を制御することで、ドライバが視聴を逃したシーンについて録画情報に基づき全編再生することができる。他に、例えば、スポーツ番組における盛り上がり部分のみ抽出して再生するハイライト再生、音楽番組の場合にトーク部分をカットして歌っているシーンを抽出して纏めて再生する楽曲クリップ再生、映画やドラマ番組の場合にコマーシャル部分をカットして本編だけを連続して再生するカット再生等、停車時間に応じて適宜再生時間を操作して視聴することができる。
【００３３】
なお、図２に示す制御部１０が有する構成は、全てをソフトウェアによって実現しても、あるいはその少なくとも一部をハードウェアで実現してもよい。
例えば、車両状態検出部１５により車両が停止状態から走行状態に遷移したことが検出されると、録画部１２を制御して車両走行前に視聴していた番組の録画を開始させ、録画部１２による番組の録画が開始されて以降、車両状態検出部１５により検出される車両の走行状態に依存せず録画中の番組の放送終了を待って録画を停止させる制御部１０におけるデータ処理は、１または複数のプログラムによりコンピュータ上で実現してもよく、また、その少なくとも一部をハードウェアで実現してもよい。
【図面の簡単な説明】
【００３４】
【図１】この発明の実施の形態１に係る車載用録画装置の内部構成を示すブロック図である。
【図２】この発明の実施の形態１に係る車載用録画装置の制御部が実行するプログラムの構造を機能展開して示したブロック図である。
【図３】この発明の実施の形態１に係る車載用録画装置の基本動作を示すフローチャートである。
【図４】この発明の実施の形態１に係る車載用録画装置の動作のうち、一部詳細手順を示すフローチャートである。
【図５】この発明の実施の形態１に係る車載用録画装置の動作のうち、一部詳細手順を示すフローチャートである。
【符号の説明】
【００３５】
１０  制御部、１１  放送受信部、１２  録画部、１３  再生部、１４  操作部、１５  車両状態検出部、１６  記憶部、１００  録画・再生処理部、１０１  車両状態情報取得部、１０２  操作情報取得部、１０３  番組コンテンツ取得部、１０４  ＥＰＧ取得部、１０５  番組音声認識部。
【図１】
2010016550.tif 000003
【図２】
2010016550.tif 000004
【図３】
2010016550.tif 000005
【図４】
2010016550.tif 000006
【図５】
2010016550.tif 000007